(57)【特許請求の範囲】
【請求項１】
精米機本体の精米室の内部に水平に設置された筒状の精米スクリーンの排出口を閉塞する抵抗板に所要の押圧力を付与し、上記抵抗板を保持した調整部材に調整カムを係合させ、該調整カムを外部から回動操作して上記調整部材を前後動させ上記抵抗板の押圧力を調整するようにした精米機の精米調整装置において、上記の調整部材に対して前後動可能なスライダーを固定フレームに取付け、上記調整部材と上記スライダーとの間に該調整部材を後方に付勢して上記抵抗板に押圧力を付与する第１弾性部材を介在し、上記調整部材と固定部材との間に上記スライダーを後方に付勢する第２弾性部材を介在し、上記スライダーに上記の調整カムの外周カム面を当接させて上記の第２弾性部材の付勢力を受け止め、上記外周カム面に半径が漸増する形状の精米調整領域を形成し、該外周カム面の最小半径部分が当接するとき上記抵抗板の押圧力が最も大きく設定され、最大半径部分が当接するとき最も小さく設定され、上記の調整カムの回動軸に前傾角を付与すると共に、上記の外周カム面に傾斜角を付与し、該外周カム面を上記のスライダーの一部に線接触させたことを特徴とする精米機の精米調整装置。
【請求項２】
上記調整カムの精米調整領域を越えた部分に、上記精米調整領域の最大半径の部分から半径が急に増加する急増部を経て立ち上がったクリーニング部を設け、該クリーニング部により上記調整部材を前進させて上記抵抗板を強制的に上記精米ロールの排出口から離し、該抵抗板と排出口との間にクリーニング隙間を形成するようにしたことを特徴とする請求項１に記載の精米機の精米調整装置。
【請求項３】
上記調整カムを上記抵抗板の押圧力が減少する方向に回動させる途中において、上記の急増部が上記スライダーに接する時点で該スライダーに係合する係合部を上記調整部材に設け、上記スライダーと調整カムとの当接が上記急増部からクリーニング部に至る間に該スライダーが上記調整部材を強制的に前進させ、上記精米スクリーンの排出口と上記抵抗板との間にクリーニング隙間を形成することを特徴とする請求項２に記載の精米機の精米調整装置。
【請求項４】
上記の調整カムの回動軸に調整ダイヤルを取付け、該調整ダイヤルの指し示す位置に上記調整カムの精米調整領域に対応した精米調整表示と、上記クリーニング部に対応したクリーニング表示をそれぞれ施したことを特徴とする請求項２又は３に記載の精米機の精米調整装置。
【発明の詳細な説明】
【０００１】
【発明の属する技術分野】
この発明は、一般家庭等で用いられる簡便な精米機に関し、特にその精米調整装置に関するものである。
【０００２】
【従来の技術】
精米スクリーンの内部で玄米同士の摩擦を利用して精米する精米機において、その精米度合い（白米、５分づき、３分づき等）を調整するために、精米調整装置が設けられる。従来の精米調整装置は、精米室の内部に水平に設置された筒状の精米スクリーンの排出口を、所要の押圧力を付与された抵抗板により閉塞し、その抵抗板の調整部材に係合させた調整カムを外部から回動操作してコイルばねを伸縮させ、上記抵抗板に作用する押圧力を調整するようにしたものである。
【０００３】
このような精米調整装置の一例として実開昭５７−７６８４７号公報に示されたものは、上記の調整カムの回動軸が精米機の前後方向に向け水平に設置され、その回動軸の前端部を精米機のケーシングの前面に突き出し、これに調整ダイヤルを付けて外部から操作するようにしている。
【０００４】
しかし、このような構成によると、ケーシングの前面で調整ダイヤルを操作することになるため、調整ダイヤルと使用者の目の高さの位置が一致しにくいことから操作性に問題がある。
【０００５】
一方、調整ダイヤルの位置を使用者の顔面と対向させることにより調整ダイヤルを見やすくできるように、図１０に示すように、精米機のケーシング８１の前面上部の傾斜面８１ａに調整ダイヤル８２を設けるようにした精米調整装置も知られている。
【０００６】
この精米調整装置は、精米室８３の上部にコの字形の固定フレーム８４を傾斜状態に取付け、その固定フレーム８４に固定した前傾状のガイド棒８５を該固定フレーム８４の前面に突き出し、その突き出したガイド棒８５の前端部に調整部材８６の上端を嵌合している。該調整部材８６はヒンジ部８７により前後方向に揺動自在に取付けられている。調整部材８６の下端に抵抗板８８が取付けられ、その抵抗板８８により精米スクリーン８９の前端の排出口９０を閉塞するようになっている。
【０００７】
上記のガイド棒８５に外挿したコイルばね９１の前端を上記調整部材８６の上端部に押し当て、その後端を上記ガイド棒８５に外挿したスライダー９２に当てている。スライダー９２の一部に調整カム９３が押し当てられる。調整カム９３は固定フレーム８４に前傾角をもって取付けられた回動軸９４の下端部に固定される。回動軸９４の上端にはケーシング８１の傾斜面８１ａにおいて調整ダイヤル８２が取付けられる。
【０００８】
上記の調整ダイヤル８２を回動操作すると、調整カム９３がスライダー９２を押し進め、コイルばね９１を圧縮して調整部材８６の上端部に作用する力を増大して抵抗板８８の押圧力を増大させる。逆にスライダー９２を後退させると、抵抗板８８の押圧力が減少する。この抵抗板８８の押圧力の大小により精米度合いの調整が行われる。
【０００９】
【発明が解決しょうとする課題】
上記の精米調整装置は調整ダイヤル８２が使用者から見やすい位置に設けられているため、操作性において優れたところがあるが、固定フレーム８４が前傾状態に取付けられるので、その下方と精米室８３との間の間隙Ａや、固定フレーム８４の前半部上部の間隙Ｂが無駄な空間となる。また、調整部材８６にヒンジ部８７が必要になるため、構造が複雑になる問題もある。
【００１０】
そこで、この発明は、取付け空間の無駄が少ないと共に、ヒンジ部が不要であり、しかも操作性に優れた精米調整装置を提供することを課題とする。
【００１１】
【課題を解決するための手段】
上記の課題を解決するために、この発明は、精米機本体の精米室の内部に水平に設置された筒状の精米スクリーンの排出口を閉塞する抵抗板に所要の押圧力を付与し、上記抵抗板を保持した調整部材に調整カムを係合させ、該調整カムを外部から回動操作して上記調整部材を前後動させ上記抵抗板の押圧力を調整するようにした精米機の精米調整装置において、上記の調整部材に対して前後動可能なスライダーを固定フレームに取付け、上記調整部材と上記スライダーとの間に該調整部材を後方に付勢して上記抵抗板に押圧力を付与する第１弾性部材を介在し、上記調整部材と固定部材とに間に上記スライダーを後方に付勢する第２弾性部材を介在し、上記スライダーに上記の調整カムの外周カム面を当接させて上記の第２弾性部材の付勢力を受け止め、上記外周カム面に半径が漸増する形状の精米調整領域を形成し、該外周カム面の最小半径部分が当接するとき上記抵抗板の押圧力が最も大きく設定され、最大半径部分が当接するとき最も小さく設定されるようにしたものである。
【００１２】
上記の調整カムの回動軸に前傾角を付与すると共に、上記の外周カム面に傾斜角を付与し、該外周カム面を上記のスライダーの一部に線接触させた構成をとることができる。
【００１３】
また、上記調整カムの精米調整領域を越えた部分に、上記精米調整領域の最大半径の部分から半径が急に増加する急増部を経て立ち上がったクリーニング部を設け、該クリーニング部により上記調整部材を前進させて上記抵抗板を強制的に上記精米ロールの排出口から離し、該抵抗板と排出口との間にクリーニング隙間を形成するようにした構成をとることができる。
【００１４】
更に、上記調整カムを上記抵抗板の押圧力が減少する方向に回動させる途中において、上記の急増部が上記スライダーに接する時点で該スライダーに係合する係合部を上記調整部材に設け、上記スライダーと調整カムとの当接が上記急増部からクリーニング部に至る間に該スライダーが上記調整部材を強制的に前進させ、上記精米スクリーンの排出口と上記抵抗板との間にクリーニング隙間を形成する構成をとることができる。
【００１５】
なお、上記の調整カムの回動軸に調整ダイヤルを取付け、該調整ダイヤルの指し示す位置に上記調整カムの精米調整領域に対応した精米調整表示と、上記クリーニング部に対応したクリーニング表示をそれぞれ施すようにしてもよい。
【００１６】
【発明の実施の形態】
以下、この発明の実施の形態を添付図面に基づいて説明する。まず、図１から図３に基づいて精米機の全体を説明する。
【００１７】
精米機はこれらの図面に示すように、ケーシング１１の底部に基台１２を設け、その内部にモーター１３を設置し、その基台１２上に精米機本体１４の軸受部１５を固定している。軸受部１５に水平方向に主軸１６が回転自在に支持され、モーター１３の回転をベルト１７とプーリー１８で該主軸１６（図２参照）に伝達するようにしている。
【００１８】
上記の精米機本体１４の軸受部１５の前部に玄米供給部１９が設けられ、該玄米供給部１９はケーシング１１のホッパー２１に連通している。またその玄米供給部１９の前方にこれと連通した精米室２２が設けられる。精米室２２の下端は開放されてぬか排出口２３となり、また該精米室２２の前端も開放されるが、その前端開放部にはスクリーン押さえ板２４が取外し自在に固定される。
【００１９】
上記の主軸１６の前部にこれと同軸かつ一体に搗精ロール２６が設けられる。搗精ロール２６は主軸１６側に小ピッチの送りら旋により送米部２７が設けられ、その送米部２７の前端に大ピッチの逆送りら旋により搗精部２７’が設けられる。
【００２０】
上記の精米室２２において搗精ロール２６の周りに六角筒状の精米スクリーン２８が所定の隙間をもって嵌合される。精米スクリーン２８の後端が前記の玄米供給部１９に向けて開放されている。また精米スクリーン２８の前端部はスクリーン押さえ板２４に設けられた６角形の係止穴３１に挿入係止される。
【００２１】
上記の係止穴３１に挿入された精米スクリーン２８の排出口３０は、円板形の抵抗板３２が接離自在に閉鎖しており、その抵抗板３２は上方に伸びた支持アーム３３により支持され、更に支持アーム３３の上端部は、Ｌ形に屈曲した調整板３４の前端面にピン２９により連結されている。
【００２２】
上記の精米スクリーン２８の排出口３０と抵抗板３２及び支持アーム３３を囲こむ白米排出シュート３８がスクリーン押さえ板２４に着脱自在に取付けられる。
【００２３】
精米機本体１４の下方において、ケーシング１１の底面に左右一対のぬか受けケース３９と白米受けケース４０とがケーシング１１の前方から出し入れ自在に収納され、前記のぬか排出口２３がぬか受けケース３９上に臨み、また白米排出シュート３８が白米受けケース４０上に臨む。
【００２４】
精米機本体１４の精米室２２の上部には精米調整装置３５が設けられる。精米調整装置３５の詳細は図４から図６に示す通りである。即ち、この精米調整装置３５は精米機本体１４に固定された固定フレーム４２を有する。この固定フレーム４２は、水平固定部４３の後端部を上向きに屈曲して後部支持部４４が設けられ、前端部を上向きに屈曲して前部支持部４５が設けられる。また前部支持部４５の上端を後方に屈曲させ、一定角度を持った傾斜取付け部４６が設けられる。
【００２５】
上記の支持部４４、４５の間にガイド棒４７が前後方向に水平に取付けられる。また、上記の前部支持部４５の下端部に左右方向のスリット４８が設けられ（図５参照）、そのスリット４８に前記の調整板３４が挿通される。調整板３４の後端部を上向きに屈曲させてガイド部４９を設け、そのガイド部４９を後部支持部４４の内側においてガイド棒４７にスライド自在に嵌合している。また、その調整板３４の中程に上向きの切り起こしによるガイド補助部４９’が設けられ、そのガイド補助部４９’もガイド棒４７にスライド自在に嵌合される。上記のガイド部４９とガイド補助部４９’とにより調整板３４が水平に維持された状態で前後方向への移動がガイドされ、かつスリット４８の部分で回動が阻止される。
【００２６】
また、上記のガイド棒４７にスライダー５１が前後方向にスライド自在に取付けられる。スライダー５１は下向きコの字状に屈曲形成されたものであり、その後端屈曲部５２と前端屈曲部５３をそれぞれガイド棒４７に挿通し、その後端屈曲部５２と前記のガイド部４９との間に第１コイルばね５４が介在され、また、前端屈曲部５３と前記の前部支持部４５との間に第２コイルばね５５が介在される。またスライダー５１の前端屈曲部５３の上端に切り起こしによるカム当て部５６を設け、そのカム当て部５６の後ろ向き面に調整カム５７を押し当て、この調整カム５７によりスライダー５１の位置を定め、その位置に応じて第１コイルばね５４の伸縮量を調整するようになっている。第２コイルばね５５はスライダー５１のカム当て部５６を調整カム５７に押し当てる作用をなす。
【００２７】
なお、上記調整カム５７の回動軸５８の上端部にケーシング１１の前面傾斜部１１ａから調整ダイヤル６１が差し込まれる。
【００２８】
上記の調整カム５７は、固定フレーム４２の傾斜取付け部４６に前傾角α（図６（ａ）参照）をもって取付けられた回動軸５８の下端部に取付けられ、その外周カム面５９が前記のカム当て部５６に押し当てられる。外周カム面５９は垂直のカム当て部５６に線接触するように傾斜角βが付けられる。
【００２９】
外周カム面５９は、図６（ｂ）に示すように、回転中心の周りにおいて３６０°を越えない範囲で、最小半径の部分から一定の周回方向にその半径が漸増する精米調整領域ａを有する。その最小半径の部分がカム当て部５６に当接する状態において（図６（ｃ）において、符号（イ）で示す調整カム５７参照）、スライダー５１は最も後退（ガイド部４９に最も接近した状態）する。従って第１コイルばね５４を最も圧縮することになる。このような状態をもたらす精米領域ａの最小半径部分に対応して調整ダイヤル６１の摘まみ６２の先端が指し示す前面傾斜部１１ａの表面に、「白米」の表示が施される（図６（ｄ）参照）。
【００３０】
また、最大半径部分がカム当て部５６に当接する状態で、スライダー５１は前記とは逆に最も前進した状態となり（図６（ｃ）において、符号（ロ）で示す調整カム５７参照）、第１コイルばね５４の圧縮量が最小になる。このような状態をもたらす精米領域ａの最大半径部分に対応して調整ダイヤル６１の摘まみ６２の先端が指し示す位置に「３分」の表示が施される。そして、上記の「白米」と「３分」とのほぼ中間部分に「５分」の表示が施される。
【００３１】
以上の構成により、使用者が調整ダイヤル６１により精米度合いを設定すると、その設定度合いに応じて第１コイルばね５４が伸縮され、その押圧力が調整板３４に付与され、支持アーム３３を介して抵抗板３２に伝達され、抵抗板３２は上記の押圧力をもって精米スクリーン２８の排出口３０を閉塞する。これにより、所定の精米度合い（白米、５分づき、３分づき）で精米された米が排出口３０から排出される。
【００３２】
上記のようにして精米を完了した時点で精米スクリーン２８の内部には未精米の米が残留する。このような未精米の米は残米と称される。残米は次の精米時まで残しておいてもよいが、これを全部排出する、いわゆるクリーニングを簡便に行う機能を付加する場合は、図６（ｂ）に２点鎖線で示すように、前記の外周カム面５９の最大半径の部分から半径が急に増加する急増部６３を経て半径方向に立ち上がったクリーニング部６４を設ける。そして、調整カム５７の摘まみ６２が指し示す表示として、「３分」よりも更に回動角が進んだ部分に「クリーニング」の表示を施す（図７（ｂ）参照）。
【００３３】
上記の調整カム５７を前記の「３分」の表示を越えて「クリーニング」の表示に合わせると、調整カム５７のクリーニング部６４に押されてスライダー５１が前進（前部支持部４５側へ移動）し、第２コイルばね５５を最大限に圧縮する。これによりスライダー５１の後部屈曲部５２と調整板３４のガイド部４９の間隔が大きく開き、その間隔が第１コイルばね５４の自然長より大きくなるため調整板３４にばね力が及ばなくなる。これでは調整板３４を移動できなくなるので、調整板３４に切り起こしによる係合部６５を、スライダー５１の前端屈曲部５３よりも前位に設ける。
【００３４】
その係合部６５の位置は、図７（ａ）に示すように、調整カム５７が３分づきの状態にあるときは、上記の前端屈曲部５３は係合部６５の後方に隙間ｅがあって当接しない状態にあるが、調整カム５７が更に回動され急増部６３をへてクリーニング部６４がスライダー５１のカム当て部５６に当接する途中で、上記の前端屈曲部５３が係合部６５の後面に係合するような位置に設定される。
【００３５】
上記の前端屈曲部５３が係合部６５の後面に係合すると、調整板３４を強制的に前進させ、図７（ａ）に示すように、抵抗板３２が精米スクリーン２８の排出口３０から離れ、両者の間に所定のクリーニング隙間ｄを生じさせる。
【００３６】
このようなクリーニング隙間ｄを設けた上でモーター１３を暫時駆動させると、搗精ロール２６により残米が排出口３０から排出され、クリーニングが行われる。クリーニングの終了後は調整カム５７をもとの状態に戻し、クリーニング隙間ｄを無くする。
【００３７】
図８、図９は上記調整カム５７の回動操作機構を示す。前述の調整カム５７の回動軸５８を固定フレーム４２の傾斜取付け部４６に取付けるカムベース６６は、ビス６７により傾斜取付け部４６の穴６８にその軸穴６９を合致させて固定される。軸穴６９の周りには、欠円形状の溝７０が設けられ、またその溝７０と一方のビス６７との間にばね取付け凹所７１が設けられ、波形に屈曲された板ばね７２が軸穴６９の方向に突き出して取付けられる。
【００３８】
上記の調整カム５７の回動軸５８は、上記の軸穴６９に挿通され、カムベース６６の上方においてその回動軸５８に歯車７３が外挿され、ピン７４により一体化される。歯車７３の下面に設けれらた突起７５が前記の溝７０に嵌入され、該歯車７３の回動角を制限する。また、歯車７３の各歯間に前記の板ばね７２の屈曲部が軽く落ち込むようになっており、調整ダイヤル６１を回動すると、板ばね７２が逐一歯間に落ち込み、調整カム５７の姿勢を安定させつつ所定角度回動させることができる。
【００３９】
【発明の効果】
以上のように、この発明によれば、精米調整装置の固定フレームが精米室上部において水平状態に取付けられるため、取付け空間の無駄が無く、また調整部材はヒンジ部が不要であるので構造が簡単になり、更に、調整カムの回動軸が前傾しており、その調整ダイヤルがケーシングの前面傾斜部に取付けられるので操作性も良好である等の効果がある。
【図面の簡単な説明】
【図１】実施形態の精米機の一部斜視図
【図２】同上の正面図
【図３】同上の断面図
【図４】同上の精米調整装置部分の拡大断面図
【図５】同上の精米調整装置部分に拡大斜視図
【図６】（ａ）同上の調整カム部分の概略図
（ｂ）同上の調整カムの正面図
（ｃ）同上の調整カム部分の平面図
（ｄ）同上の調整ダイヤル部分の平面図
【図７】（ａ）変形例の調整カム部分の平面図
（ｂ）同上の調整ダイヤル部分の平面図
【図８】（ａ）実施形態の調整カム操作部分の断面図
（ｂ）（ａ）図のｂ−ｂ線の断面図
【図９】図８の部分の分解斜視図
【図１０】従来例の精米調整装置の一部断面図
【符号の説明】
１１  ケーシング
１１ａ  前面傾斜部
１２  基台
１３  モーター
１４  精米機本体
１５  軸受部
１６  主軸
１７  ベルト
１８  プーリー
１９  玄米供給部
２１  ホッパー
２２  精米室
２３  ぬか排出口
２４  スクリーンおさえ板
２６  搗精ロール
２７  送米部
２７’  搗精ロール
２８  精米スクリーン
２９  ピン
３０  排出口
３１  係止穴
３２  抵抗板
３３  支持アーム
３４  調整板
３５  精米調整装置
３８  白米排出シュート
３９  ぬか受けケース
４０  白米受けケース
４２  固定フレーム
４３  水平固定部
４４  後部支持部
４５  前部支持部
４６  傾斜取付け部
４７  ガイド棒
４８  スリット
４９  ガイド部
４９’  ガイド補助部
５１  スライダー
５２  後部屈曲部
５３  前部屈曲部
５４  第１コイルばね
５５  第２コイルばね
５６  カム当て部
５７  調整カム
５８  回動軸
５９  外周カム面
６１  調整ダイヤル
６２  摘まみ
６３  急増部
６４  クリーニング部
６５  係合部
６６  カムベース
６７  ビス
６８  穴
６９  軸穴
７０  溝
７１  ばね取付け凹所
７２  板ばね
７３  歯車
７４  ピン
７５  突起
【図１】
0003618578.tif 000002
【図２】
0003618578.tif 000003
【図３】
0003618578.tif 000004
【図４】
0003618578.tif 000005
【図５】
0003618578.tif 000006
【図６】
0003618578.tif 000007
【図７】
0003618578.tif 000008
【図８】
0003618578.tif 000009
【図９】
0003618578.tif 000010
【図１０】
0003618578.tif 000011